(57)【要約】【課題】ワイヤハーネスに付着した水などの液体が箱本体内に浸入することを防止できる電気接続箱を提供する。【解決手段】電気接続箱１は箱本体２とロアカバー５と屈曲部３０を備えている。箱本体２の底面２ｂにはワイヤハーネス９の端末９ｂが取り付けられる。ロアカバー５は箱本体２に取り付けられる。屈曲部３０はプロテクタ３を備えている。プロテクタ３は樋状に形成され箱本体２と一体に形成されている。プロテクタ３は箱本体２から外側でかつ上方に向かって延在している。プロテクタ３は箱本体２の上方からワイヤハーネス９の端末を箱本体２とロアカバー５との間に導きさらに底面２ｂに導く。ワイヤハーネス９の端末９ｂの近傍には屈曲箇所９ｃが形成される。屈曲箇所９ｃでは端末９ｂに向かうにしたがって上方に向かってワイヤハーネス９が屈曲している。【選択図】図２
2006191784.tif 000002
【特許請求の範囲】
【請求項１】
ワイヤハーネスの端末が底面に取り付けられる箱本体を備えた電気接続箱であって、
前記箱本体に設けられ、かつ前記ワイヤハーネスの端末の近傍を該端末に向かうにしたがって上方に向かって屈曲する屈曲手段を備えたことを特徴とする電気接続箱。
【請求項２】
前記屈曲手段は、前記ワイヤハーネスの端末を前記箱本体の上方から前記底面に導くハーネス導入部を備えたことを特徴とする請求項１記載の電気接続箱。
【請求項３】
前記ハーネス導入部が、前記箱本体に一体に設けられていることを特徴とする請求項２記載の電気接続箱。
【請求項４】
前記屈曲手段は、前記底面から凸でかつ前記ワイヤハーネスと当接して、該ワイヤハーネスの当接箇所を前記端末より下方に位置付ける電線弛ませ部を備えたことを特徴とする請求項２又は請求項３記載の電気接続箱。
【請求項５】
前記電線弛ませ部が、前記箱本体に一体に設けられていることを特徴とする請求項４記載の電気接続箱。
【請求項６】
前記箱本体に着脱自在でかつ前記箱本体に取り付けられると前記ワイヤハーネスの端末を覆うロアカバーを備え、
前記ロアカバーの前記電線弛ませ部に対応する位置に、該ロアカバーを貫通した排水孔が設けられていることを特徴とする請求項４又は請求項５記載の電気接続箱。
【発明の詳細な説明】
【技術分野】
【０００１】
本発明は、移動体としての自動車などに搭載される電気接続箱に関する。
【背景技術】
【０００２】
移動体としての自動車には、一般に、ヘッドランプ及びテールランプなどのランプ類、スタータモータ及びエアコンディショナ用のモータ等のモータ類、などの多種多様な電子機器が搭載されている。
【０００３】
前述した多種多様な電子機器に電力や所望の信号を供給するために、前記自動車は、ジャンクションブロックを適宜箇所に配置してきた。前記ジャンクションブロックは、多数のヒューズやリレー等の各種の電気回路ユニットを集約して構成されている。
【０００４】
なお、ジャンクションブロックは、ヒューズ、リレー、ブスバーなどを有することもあることから、ヒューズブロック、リレーボックス、又は総称して電気接続箱とも呼ばれる。本明細書では、前述したヒューズブロック、リレーボックス、ジャンクションブロックを、総称して以下電気接続箱と呼ぶ。
【０００５】
電気接続箱は、外郭を形成する箱本体と、配線盤とを備えている。箱本体は、前述したリレー、ヒューズやヒュージブルリンクなどの電気部品が上面に装着されるとともに、前述した自動車に配索されるワイヤハーネスのコネクタが底面に嵌合する。
【０００６】
ワイヤハーネスは、複数の電線と、該電線の端部などに取り付けられたコネクタとを備えている。コネクタは、前述した自動車に搭載される各種の電子機器や前述した箱本体に嵌合する。ワイヤハーネスは、電気接続箱の箱本体の上方から該箱本体に近づけられるとともに、前記箱本体と別体のプロテクタなどに収容されて、箱本体の下方に位置付けられた後、前記箱本体の底面に端末が取り付けられる。
【０００７】
配線盤は、前述した各種の電気部品と、ワイヤハーネスのコネクタの端子とを予め定められたパターンにしたがって接続するバスバなどを備えている。
【０００８】
前述した電気接続箱は、箱本体内に配線盤を収容し、該箱本体に所望の電気部品を装着し、さらに箱本体にワイヤハーネスのコネクタを嵌合させる。この際、ワイヤハーネスをプロテクタ内に通して、箱本体の下方に位置決めする。こうして、前述した電気接続箱が組み立てられる。そして、電気接続箱は、電源などから供給される電力や各種の信号を、ヒュージブルリンクなどの電気部品、ワイヤハーネスの電線などを介して、自動車に搭載される前述した各種の電子機器に供給する。
【発明の開示】
【発明が解決しようとする課題】
【０００９】
前述した電気接続箱は、ワイヤハーネスに付着した水などの液体が箱本体内に浸入することを防止する際に、箱本体と別体のプロテクタなどを用いて、該プロテクタの端末の近傍を箱本体より下方に位置決めしていた。このため、前述した従来の電気接続箱は、箱本体と別体のプロテクタが必要になるなどの部品点数が増加する傾向であった。
【００１０】
また、部品点数を削減するために、前述したプロテクタを用いないと、前述したワイヤハーネスの端末の近傍が位置決めされずに、該近傍が端末より上方に位置することが生じて、前記ワイヤハーネスに付着した水などの液体が箱本体内に浸入する虞が生じる。
【００１１】
したがって、本発明の目的は、ワイヤハーネスの端末が取り付けられる電気接続箱において、該ワイヤハーネスに付着した水などの液体が箱本体内に浸入することを防止できる電気接続箱を提供することにある。
【課題を解決するための手段】
【００１２】
前記課題を解決し目的を達成するために、請求項１に記載の本発明の電気接続箱は、ワイヤハーネスの端末が底面に取り付けられる箱本体を備えた電気接続箱であって、前記箱本体に設けられ、かつ前記ワイヤハーネスの端末の近傍を該端末に向かうにしたがって上方に向かって屈曲する屈曲手段を備えたことを特徴としている。
【００１３】
請求項２に記載の本発明の電気接続箱は、請求項１に記載の電気接続箱において、前記屈曲手段は、前記ワイヤハーネスの端末を前記箱本体の上方から前記底面に導くハーネス導入部を備えたことを特徴としている。
【００１４】
請求項３に記載の本発明の電気接続箱は、請求項２記載の電気接続箱において、前記ハーネス導入部が、前記箱本体に一体に設けられていることを特徴としている。
【００１５】
請求項４に記載の本発明の電気接続箱は、請求項２又は請求項３記載の電気接続箱において、前記屈曲手段は、前記底面から凸でかつ前記ワイヤハーネスと当接して、該ワイヤハーネスの当接箇所を前記端末より下方に位置付ける電線弛ませ部を備えたことを特徴としている。
【００１６】
請求項５に記載の本発明の電気接続箱は、請求項４に記載の電気接続箱において、前記電線弛ませ部が、前記箱本体に一体に設けられていることを特徴としている。
【００１７】
請求項６に記載の本発明の電気接続箱は、請求項４又は請求項５記載の電気接続箱において、前記箱本体に着脱自在でかつ前記箱本体に取り付けられると前記ワイヤハーネスの端末を覆うロアカバーを備え、前記ロアカバーの前記電線弛ませ部に対応する位置に、該ロアカバーを貫通した排水孔が設けられていることを特徴としている。
【００１８】
請求項１に記載した本発明の電気接続箱によれば、屈曲手段がワイヤハーネスの端末の近傍を端末に向かうにしたがって上方に向かうように屈曲するので、ワイヤハーネスの端末の近傍に該端末より下方に位置する箇所が生じる。
【００１９】
請求項２に記載した本発明の電気接続箱によれば、屈曲手段が箱本体の上方から底面にワイヤハーネスの端末を導くので、ワイヤハーネスの弾性などにより端末の近傍が該端末に向かうにしたがって上方に向かって確実に屈曲する。
【００２０】
請求項３に記載した本発明の電気接続箱によれば、ハーネス導入部が箱本体に一体であるので、部品点数を削減できる。
【００２１】
請求項４に記載した本発明の電気接続箱によれば、電線弛ませ部が端末より当接箇所を下方に位置付けるので、端末の近傍に確実に該端末より下方に位置する箇所がワイヤハーネスに生じる。
【００２２】
請求項５に記載した本発明の電気接続箱によれば、電気弛ませ部が箱本体に一体であるので、部品点数を削減できる。
【００２３】
請求項６に記載した本発明の電気接続箱によれば、ロアカバーの電線弛ませ部に対応する位置に排水孔を設けている。このため、ワイヤハーネスの電線弛ませ部と当接する当接箇所に付着した水などの液体が、排水孔を通して排出される。
【発明の効果】
【００２４】
以上説明したように請求項１に記載の本発明は、ワイヤハーネスの端末の近傍に該端末より下方に位置する箇所が生じる。このため、ワイヤハーネスに付着した水などの液体は、前述した端末より下方に位置する箇所より端末に近づくことを防止できる。したがって、電気接続箱の箱本体内に水などの液体が浸入することを確実に防止できる。
【００２５】
請求項２に記載の本発明は、屈曲手段が箱本体の上方から底面にワイヤハーネスの端末を導くので、ワイヤハーネスの端末の近傍に該端末より下方に位置する箇所が生じる。したがって、電気接続箱の箱本体内に水などの液体が浸入することをより確実に防止できる。
【００２６】
請求項３に記載の本発明は、ハーネス導入部が箱本体に一体であるので、部品点数を削減できる。したがって、ワイヤハーネスに付着した水などの液体が箱本体内に浸入することを確実に防止できることにくわえ、部品点数を削減でき低コスト化を図ることができる。
【００２７】
請求項４に記載の本発明は、端末の近傍に確実に該端末より下方に位置する箇所がワイヤハーネスに生じる。このため、ワイヤハーネスに付着した水などの液体は、前述した端末より下方に位置するワイヤハーネスの当接箇所より端末に近づくことを防止できる。したがって、電気接続箱の箱本体内に水などの液体が浸入することを確実に防止できる。
【００２８】
請求項５に記載の本発明は、電線弛ませ部が箱本体に一体であるので、部品点数を削減できる。したがって、ワイヤハーネスに付着した水などの液体が箱本体内に浸入することを確実に防止できることにくわえ、部品点数を削減でき低コスト化を図ることができる。
【００２９】
請求項６に記載の本発明は、ロアカバーの電線弛ませ部に対応する位置に排水孔を設けている。このため、ワイヤハーネスの電線弛ませ部と当接する当接箇所に付着した水などの液体が、排水孔を通して排出される。したがって、ワイヤハーネスに付着した水などの液体を、排水孔を通して箱本体外に排出でき、該ワイヤハーネスに付着した水などの液体が箱本体内に浸入することを防止できる。
【発明を実施するための最良の形態】
【００３０】
以下、本発明の第１の実施形態にかかる電気接続箱を、図１及び図２に基づいて説明する。
【００３１】
本実施形態にかかる図１に示す電気接続箱１は、移動体としての自動車に搭載される。電気接続箱１は、図１及び図２に示すように、箱本体２と、ロアカバー５と、図示しない配線盤と、屈曲手段としての屈曲部３０と、を備えている。
【００３２】
箱本体２は、絶縁性の合成樹脂からなり、周知の射出成形により成形される。箱本体２は、複数の外壁６により、筒状（箱状）に形成されている。
【００３３】
また、箱本体２の図１の上方に位置する上面２ａには、リレー７及びヒュージブルリンク８などの電気部品が装着される装着部が複数設けられている。
【００３４】
また、箱本体２の図１の下方に位置する底面２ｂには、前述した自動車に配索されるワイヤハーネス９（図１及び図中に二点鎖線で示す）のコネクタが嵌合する。ワイヤハーネス９は、複数の電線と、該電線の端末などに取り付けられたコネクタとを備えている。コネクタは、前述した自動車に搭載される各種の電子機器や、前述した箱本体２に嵌合する。なお、本発明では、箱本体２の上面２ａ側を上方と呼び、箱本体２の底面２ｂ側を下方と呼ぶ。
【００３５】
前述したワイヤハーネス９は、端末９ｂが上方から箱本体２に近づけられて、後述するプロテクタ３内に収容されて、箱本体２の外壁６に沿って該箱本体２の下方まで導かれた後、箱本体２の底面２ｂに導かれる。そして、ワイヤハーネス９は、コネクタが前述した箱本体２の底面２ｂに嵌合する。即ち、ワイヤハーネス９は、端末９ｂが底面２ｂに取り付けられる。こうして、ワイヤハーネス９は、箱本体２とロアカバー５との間を通されて、コネクタが取り付けられた端末９ｂが前述した箱本体２内に導かれる。
【００３６】
なお、図示例では、三つのワイヤハーネス９の端末９ｃが箱本体２に取り付けられる。これら三つのワイヤハーネス９は、プロテクタ３内では互いに束ねられてあたかも一つのワイヤハーネスをなしており、このプロテクタ３から底面２ｂに向かって互いに分離している。
【００３７】
ロアカバー５は、絶縁性の合成樹脂などからなり、周知の射出成形により成形される。ロアカバー５は、互いに連なる複数の外壁１０を備えて、有底筒状に形成されている。前述した箱本体２の外壁６と、このロアカバー５の外壁１０とには、互いに係止する係止部１１，１２が設けられている。ロアカバー５は、係止部１１，１２同士が係止して、箱本体２の前述したワイヤハーネス９のコネクタが嵌合する底面２ｂ即ち前述したワイヤハーネス９の端末９ｂを覆うように、箱本体２に取り付けられる。
【００３８】
箱本体２とロアカバー５とが互いに組み付けられる際には、これらの箱本体２とロアカバー５とは前述した装着部が設けられた箱本体２の上面２ａ及びワイヤハーネス９のコネクタが嵌合する底面２ｂに対し直交する矢印Ｋに沿って、互いに近づけられる。なお、矢印Ｋは、箱本体２とロアカバー５とが互いに近づく方向をなしている。
【００３９】
また、前述したロアカバー５には、排水孔２１が設けられている。排水孔２１は、複数の外壁１０のうち前記底面２ｂと相対する一つの外壁１０の最下部を貫通している。なお、最下部とは、電気接続箱１が自動車などに取り付けられた際に最も下方に位置する箇所である。
【００４０】
配線盤は、導電性のバスバと、絶縁板などを備えている。バスバは、導電性の板金に打ち抜き加工などのプレス加工が施されて得られる。バスバは、複数設けられている。複数のバスバは、互いに重ねられている。絶縁板は、互いに重ねられたバスバ間などに配され、バスバ同士が意図しない箇所に相互に電気的に接続すること即ち短絡することを防止するとともに、バスバを位置決めしている。
【００４１】
配線盤は、箱本体２内に収容される。配線盤は、箱本体２内に収容されると、バスバがワイヤハーネス９のコネクタと、装着部に装着されたリレー７及びヒュージブルリンク８などの電気部品とを予め定められたパターンにしたがって、互いに電気的に接続する。
【００４２】
屈曲部３０は、箱本体２に設けられたハーネス導入部としてのプロテクタ３を備えている。プロテクタ３は、絶縁性の合成樹脂からなり、プロテクタ本体１３と、複数のバンドガイド１４とを一体に備えている。
【００４３】
プロテクタ本体１３は、樋状に形成されかつ内側に前述したワイヤハーネス９を収容する。プロテクタ本体１３は、ワイヤハーネス９を収容すると、その長手方向がワイヤハーネス９の長手方向と平行になる。プロテクタ本体１３は、図示例では、ワイヤハーネス９の長手方向に交差する方向の断面形状が、円弧状に形成されている。
【００４４】
また、プロテクト本体１３は、その長手方向の一端が箱本体２に連なっている。則ち、プロテクタ３は、箱本体２と一体に形成されている。プロテクタ本体１３は、箱本体２の隅から該箱本体２の外側でかつ上方に向かって延在している。
【００４５】
バンドガイド１４は、プロテクタ本体１３の長手方向の両端と中央部にそれぞれ三つずつ設けられている。バンドガイド１４は、プロテクタ本体１３の長手方向の両端と中央部のそれぞれにおいて、プロテクタ本体１３の周方向の両端と周方向の中央に設けられている。それぞれのバンドガイド１４は、一対の立設片１５と、一つの連結片１６とを一体に備えている。
【００４６】
一対の立設片１５は、プロテクタ本体１３の外周面から該プロテクタ本体１３の外周方向に立設している。一対の立設片１５は、プロテクタ本体１３の長手方向に沿って、互いに間隔をあけて配されている。一対の立設片１５間の間隔は、プロテクタ本体１３即ちプロテクタ３にワイヤハーネス９を結束する図示しないバンドの幅に応じた値になっている。連結片１６は、一対の立設片１５のプロテクタ本体１３の外周面から離れた側の端を互いに連結している。
【００４７】
バンドガイド１４は、一対の立設片１５と連結片１６とを備えてコ字状に形成されている。バンドガイド１４は、内側（即ち一対の立設片１５間でかつプロテクタ本体１３の外周面と連結片１６との間）に、前述したバンドを通すことができる。
【００４８】
前述した構成のプロテクタ３は、プロテクタ本体１３と該プロテクタ本体１３内のワイヤハーネス９とをバンドで結束する。そして、プロテクタ３は、プロテクタ本体１３が前述したように延在しているので、ワイヤハーネス９の端末９ｂを箱本体２の上方から前記箱本体２とロアカバー５との間に導き、さらに、箱本体２の底面２ｂに導く。このとき、ワイヤハーネス９は、プロテクタ３に結束されるので、図１に示すように、前述した端末９ｂの近傍に屈曲箇所９ｃが形成される。この屈曲箇所９ｃでは、ワイヤハーネス９の端末９ｂの近傍が前記端末９ｂに向かうにしたがって上方に向かって屈曲されている。
【００４９】
なお、ワイヤハーネス９の端末９ｂの近傍とは、ワイヤハーネス９の端末９ｂの近傍でかつロアカバー５則ち電気接続箱１内に収容される箇所を示している。則ち、プロテクタ３は、プロテクタ本体１３が前述した方向に延在しかつワイヤハーネス９を結束することで、ワイヤハーネス９の端末９ｂの近傍を該端末９ｂに向かうにしたがって上方に向かって屈曲する。
【００５０】
前述した電気接続箱１は、以下のように組み立てられる。まず、箱本体２内に配線盤を収容し、箱本体２の上面２ａに設けられた装着部にヒュージブルリンク８やリレー７などの電気部品を装着する。
【００５１】
また、バンドガイド１４にバンドを挿入して、プロテクタ３の長手方向の両端と中央部にバンドを取り付ける。そして、箱本体２の底面２ｂにワイヤハーネス９のコネクタを嵌合させる。ワイヤハーネス９をプロテクタ本体１３内に収容し、前述したバンドで該ワイヤハーネス９をプロテクタ本体１３に結束する。すると、ワイヤハーネス９の端末９ｂの近傍が屈曲して、ワイヤハーネス９の底面２ｂに嵌合したコネクタが取り付けられた端末９ｂより下方に位置する箇所（前述の屈曲箇所）９ｃが該端末９ｂの近傍に生じる。
【００５２】
さらに、係止部１１，１２同士を互いに係止して、箱本体２とロアカバー５とを互いに取り付ける。
【００５３】
こうして、前述した電気接続箱１は、組み立てられて、自動車に搭載される。そして、電気接続箱１は、自動車の電子機器と、ヒュージブルリンク８やリレー７などの電気部品などとを、予め定められたパターンにしたがって、互いに電気的に接続する。さらに、ワイヤハーネス９に付着した水などの液体は、該ワイヤハーネス９の外表面を伝わって、前述した端末９ｂより下方に位置し該ワイヤハーネス９が屈曲した屈曲箇所９ｃに位置した後、図２に示すように、該屈曲箇所９ｃから下方に落下して排水孔２１を通して電気接続箱１外に排出される。
【００５４】
本実施形態によれば、プロテクタ３がロアカバー５則ち電気接続箱１内でワイヤハーネス９の端末９ｂの近傍を端末９ｂに向かうにしたがって上方に向かうように屈曲するので、ワイヤハーネス９の端末９ｂの近傍に該端末９ｂより下方に位置する屈曲箇所９ｃが生じる。このため、ワイヤハーネス９に付着した水などの液体が、前述した端末９ｂより下方に位置する屈曲箇所９ｃより端末９ｂに近づくことを防止できる。したがって、電気接続箱１の箱本体２内に水などの液体が浸入することを確実に防止できる。
【００５５】
プロテクタ３が箱本体２の上方から底面２ｂにワイヤハーネス９の端末９ｂを導くので、ワイヤハーネス９の弾性などにより端末９ｂの近傍が上方に向かって屈曲する。したがって、電気接続箱１の箱本体２内に水などの液体が浸入することをより確実に防止できる。
【００５６】
プロテクタ３が箱本体２に一体であるので、部品点数を削減できる。したがって、電気接続箱１の部品点数を削減でき低コスト化を図ることができる。
【００５７】
以下、本発明の第２の実施形態にかかる電気接続箱を、図３ないし図５に基づいて説明する。なお、前述した第１の実施形態と同一部分には、同一符号を付して説明する。
【００５８】
本実施形態にかかる図３に示す電気接続箱１は、移動体としての自動車に搭載される。電気接続箱１は、図３及び図４に示すように、箱本体２と、ロアカバー５と、図示しない配線盤と、屈曲手段としての屈曲部３０とを備えている。
【００５９】
箱本体２は、絶縁性の合成樹脂からなり、周知の射出成形により成形される。箱本体２は、複数の外壁６により、筒状（箱状）に形成されている。
【００６０】
また、箱本体２の図３の上方に位置する上面２ａには、リレー７及びヒュージブルリンク８などの電気部品が装着される装着部が複数設けられている。
【００６１】
また、箱本体２の図３の下方に位置する底面２ｂには、前述した自動車に配索されるワイヤハーネス９（図３及び図中に二点鎖線で示す）のコネクタが嵌合する。ワイヤハーネス９は、複数の電線と、該電線の端末などに取り付けられたコネクタとを備えている。コネクタは、前述した自動車に搭載される各種の電子機器や、前述した箱本体２に嵌合する。なお、本発明では、箱本体２の上面２ａ側を上方と呼び、箱本体２の底面２ｂ側を下方と呼ぶ。
【００６２】
前述したワイヤハーネス９は、端末９ｂが上方から箱本体２に近づけられて、プロテクタ３内に収容されて、箱本体２の外壁６に沿って該箱本体２の下方まで導かれた後、箱本体２の底面２ｂに導かれる。そして、ワイヤハーネス９は、コネクタが前述した箱本体２の底面２ｂに嵌合する。即ち、ワイヤハーネス９は、端末９ｂが底面２ｂに取り付けられる。こうして、ワイヤハーネス９は、箱本体２とロアカバー５との間を通されて、コネクタが取り付けられた端末９ｂが前述した箱本体２内に導かれる。
【００６３】
なお、図示例では、三つのワイヤハーネス９の端末９ｂが箱本体２に取り付けられる。これら三つのワイヤハーネス９は、プロテクタ３内では互いに束ねられてあたかも一つのワイヤハーネスをなしており、このプロテクタ３から底面２ｂに向かって互いに分離している。
【００６４】
ロアカバー５は、絶縁性の合成樹脂などからなり、周知の射出成形により成形される。ロアカバー５は、互いに連なる複数の外壁１０を備えて、有底筒状に形成されている。前述した箱本体２の外壁６と、このロアカバー５の外壁１０とには、互いに係止する係止部１１，１２が設けられている。ロアカバー５は、係止部１１，１２同士が係止して、箱本体２の前述したワイヤハーネス９のコネクタが嵌合する底面２ｂ即ち前述したワイヤハーネス９の端末９ｂを覆うように、箱本体２に取り付けられる。
【００６５】
箱本体２とロアカバー５とが互いに組み付けられる際には、これらの箱本体２とロアカバー５とは前述した装着部が設けられた箱本体２の上面２ａ及びワイヤハーネス９のコネクタが嵌合する底面２ｂに対し直交する矢印Ｋに沿って、互いに近づけられる。なお、矢印Ｋは、箱本体２とロアカバー５とが互いに近づく方向をなしている。
【００６６】
また、前述したロアカバー５には、複数の外壁１０のうち前記底面２ｂと相対する一つの外壁１０を貫通した排水孔２１が設けられている。排水孔２１は、前述した矢印Ｋに沿って後述の電線弛ませ片４と並べられている。即ち、排水孔２１は、電線弛ませ片４の下方に配されている。このように、排水孔２１が電線弛ませ片４の下方に配されていることを、排水孔２１が電線弛ませ片４に対応する位置に設けられているという。
【００６７】
配線盤は、導電性のバスバと、絶縁板などを備えている。バスバは、導電性の板金に打ち抜き加工などのプレス加工が施されて得られる。バスバは、複数設けられている。複数のバスバは、互いに重ねられている。絶縁板は、互いに重ねられたバスバ間などに配され、バスバ同士が意図しない箇所に相互に電気的に接続すること即ち短絡することを防止するとともに、バスバを位置決めしている。
【００６８】
配線盤は、箱本体２内に収容される。配線盤は、箱本体２内に収容されると、バスバがワイヤハーネス９のコネクタと、装着部に装着されたリレー７及びヒュージブルリンク８などの電気部品とを予め定められたパターンにしたがって、互いに電気的に接続する。
【００６９】
屈曲部３０は、箱本体２に設けられたハーネス導入部としてのプロテクタ３と、箱本体２に設けられた電線弛ませ部としての電線弛ませ片４とを備えている。
【００７０】
プロテクタ３は、絶縁性の合成樹脂からなり、プロテクタ本体１３と、複数のバンドガイド１４とを一体に備えている。
【００７１】
プロテクタ本体１３は、樋状に形成されかつ内側に前述したワイヤハーネス９を収容する。プロテクタ本体１３は、ワイヤハーネス９を収容すると、その長手方向がワイヤハーネス９の長手方向と平行になる。プロテクタ本体１３は、図示例では、ワイヤハーネス９の長手方向に交差する方向の断面形状が、円弧状に形成されている。
【００７２】
また、プロテクト本体１３は、その長手方向の一端が箱本体２に連なっている。則ち、プロテクタ３は、箱本体２と一体に形成されている。プロテクタ本体１３は、箱本体２の隅から該箱本体２の外側でかつ上方に向かって延在している。
【００７３】
バンドガイド１４は、プロテクタ本体１３の長手方向の両端と中央部にそれぞれ三つずつ設けられている。バンドガイド１４は、プロテクタ本体１３の長手方向の両端と中央部のそれぞれにおいて、プロテクタ本体１３の周方向の両端と周方向の中央に設けられている。それぞれのバンドガイド１４は、一対の立設片１５と、一つの連結片１６とを一体に備えている。
【００７４】
一対の立設片１５は、プロテクタ本体１３の外周面から該プロテクタ本体１３の外周方向に立設している。一対の立設片１５は、プロテクタ本体１３の長手方向に沿って、互いに間隔をあけて配されている。一対の立設片１５間の間隔は、プロテクタ本体１３即ちプロテクタ３にワイヤハーネス９を結束する図示しないバンドの幅に応じた値になっている。連結片１６は、一対の立設片１５のプロテクタ本体１３の外周面から離れた側の端を互いに連結している。
【００７５】
バンドガイド１４は、一対の立設片１５と連結片１６とを備えてコ字状に形成されている。バンドガイド１４は、内側（即ち一対の立設片１５間でかつプロテクタ本体１３の外周面と連結片１６との間）に、前述したバンドを通すことができる。
【００７６】
前述した構成のプロテクタ３は、プロテクタ本体１３と該プロテクタ本体１３内のワイヤハーネス９とをバンドで結束する。そして、プロテクタ３は、プロテクタ本体１３が前述したように延在しているので、ワイヤハーネス９の端末９ｂを箱本体２の上方から前記箱本体２とロアカバー５との間に導き、さらに、箱本体２の底面２ｂに導く。このとき、ワイヤハーネス９は、プロテクタ３に結束されるので、図３に示すように、前述した端末９ｂの近傍に屈曲箇所９ｃが形成される。この屈曲箇所９ｃでは、ワイヤハーネス９の端末９ｂの近傍が前記端末９ｂに向かうにしたがって上方に向かって屈曲されている。
【００７７】
なお、ワイヤハーネス９の端末９ｂの近傍とは、ワイヤハーネス９の端末９ｂの近傍でかつロアカバー５則ち電気接続箱１内に収容される箇所を示している。則ち、プロテクタ３は、プロテクタ本体１３が前述した方向に延在しかつワイヤハーネス９を結束することで、ワイヤハーネス９の端末９ｂの近傍を該端末９ｂに向かうにしたがって上方に向かって屈曲する。
【００７８】
電線弛ませ片４は、図５などに示すように、板状に形成されている。電線弛ませ片４は、プロテクタ３の一端が連なった箱本体２の隅の近傍に配されている。電線弛ませ片４は、一端が箱本体２の底面２ｂに連なり、かつ両表面が鉛直方向と平行な状態に配されている。こうして、電線弛ませ片４は、底面２ｂから下方に向かって凸に形成されている。
【００７９】
また、電線弛ませ片４は、その端末が前述した箱本体２の底面２ｂに取り付けられるワイヤハーネス９の前述した屈曲箇所９ｃに当接する位置に配されている。電線弛ませ片４の箱本体２の底面２ｂからの突出量は、当接したワイヤハーネス９の該電線弛ませ片４と当接した屈曲箇所９ｃ（図３乃至図５に示す）が、前述したコネクタなどが取り付けられた端末９ｂより下方に位置する値となっている。なお、本実施形態では、屈曲箇所９ｃは、ワイヤハーネス９の電線弛ませ片４と当接した当接箇所をなしている。
【００８０】
さらに、電線弛ませ片４は、その幅方向が前述した箱本体２とロアカバー５との間に位置付けられるワイヤハーネス９の長手方向に対し直交している。電線弛ませ片４のワイヤハーネス９に当接する先端面には、該先端面から凹で断面円弧状の凹み２０が設けられている。前述した構成の電線弛ませ片４は、箱本体２の底面２ｂにコネクタが嵌合したワイヤハーネス９を先端面に設けられた凹み２０内に位置付けて、該凹み２０の内面などでより下方に押圧して、ワイヤハーネス９の電線弛ませ片４と当接した屈曲箇所９ｃを前述した端末９ｂより下方に位置付ける。
【００８１】
前述した電気接続箱１は、以下のように組み立てられる。まず、箱本体２内に配線盤を収容し、箱本体２の上面２ａに設けられた装着部にヒュージブルリンク８やリレー７などの電気部品を装着する。
【００８２】
また、バンドガイド１４にバンドを挿入して、プロテクタ３の長手方向の両端と中央部にバンドを取り付ける。そして、箱本体２の底面２ｂにワイヤハーネス９のコネクタを嵌合させる。ワイヤハーネス９をプロテクタ本体１３内に収容し、前述したバンドで該ワイヤハーネス９をプロテクタ本体１３に結束するとともに、電線弛ませ片４の先端面に設けられた凹み２０内にワイヤハーネス９を位置付ける即ちワイヤハーネス９に電線弛ませ片４を当接させる。すると、ワイヤハーネス９の端末９ｂの近傍が屈曲して、底面２ｂに嵌合したコネクタが取り付けられた端末９ｂより、該ワイヤハーネス９の電線弛ませ片４が当接した屈曲箇所９ｃが下方に位置する。
【００８３】
さらに、係止部１１，１２同士を互いに係止して、箱本体２とロアカバー５とを互いに取り付ける。すると、図４及び図５に示すように、排水孔２１の上方に電線弛ませ片４び屈曲箇所９ｃが位置する。
【００８４】
こうして、前述した電気接続箱１は、組み立てられて、自動車に搭載される。そして、電気接続箱１は、自動車の電子機器と、ヒュージブルリンク８やリレー７などの電気部品などとを、予め定められたパターンにしたがって、互いに電気的に接続する。さらに、ワイヤハーネス９に付着した水などの液体は、該ワイヤハーネス９の外表面を伝わって、前述した屈曲箇所９ｃに位置した後、図４及び図５に示すように、屈曲箇所９ｃから下方に落下して排水孔２１を通して電気接続箱１外に排出される。
【００８５】
本実施形態によれば、電線弛ませ片４が端末９ｂより屈曲箇所９ｃを下方に位置付けるので、端末９ｂの近傍に確実に該端末９ｂより下方に位置する箇所（屈曲箇所９ｃ）がワイヤハーネス９に生じる。このため、ワイヤハーネス９に付着した水などの液体が、前述した端末９ｂより下方に位置する屈曲箇所９ｃより端末９ｂに近づくことを防止できる。したがって、電気接続箱１の箱本体２内に水などの液体が浸入することを確実に防止できる。
【００８６】
電線弛ませ片４が箱本体２に一体であるので、部品点数を削減できる。ワイヤハーネス９に付着した水などの液体が箱本体２内に浸入することを確実に防止できることにくわえ、部品点数を削減でき低コスト化を図ることができる。
【００８７】
ロアカバー５の電線弛ませ片４の対応する位置に排水孔２１を設けている。このため、ワイヤハーネス９の電線弛ませ片４に当接する屈曲箇所９ｃに付着した水などの液体が、排水孔２１を通して排出される。したがって、ワイヤハーネス９に付着した水などの液体を、排水孔２１を通して電気接続箱１外に排出でき、該ワイヤハーネス９に付着した水などの液体が箱本体２内に浸入することを防止できる。
【００８８】
なお、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００８９】
【図１】本発明の第１の実施形態に係る電気接続箱の側面図である。
【図２】図１に示された電気接続箱の要部を断面で示す側面図である。
【図３】本発明の第２の実施形態に係る電気接続箱の側面図である。
【図４】図３に示された電気接続箱の要部を拡大して示す側面図である。
【図５】図３に示された電気接続箱の要部を拡大して示す斜視図である。
【符号の説明】
【００９０】
１    電気接続箱
２    箱本体
２ｂ  底面
３    プロテクタ（ハーネス導入部）
４    電線弛ませ片（電線弛ませ部）
５    ロアカバー
９    ワイヤハーネス
９ｂ  端末
９ｃ  屈曲箇所（箇所、当接箇所）
２１  排水孔
３０  屈曲部（屈曲手段）
【図１】
2006191784.tif 000003
【図２】
2006191784.tif 000004
【図３】
2006191784.tif 000005
【図４】
2006191784.tif 000006
【図５】
2006191784.tif 000007